(57)【要約】【課題】  放送音声又は再生音声に含まれる透かし情報を用いて、電子掲示板に投稿する際にユニークなキーワードを自動的に付与すること。【解決手段】  端末は、受像機／録画再生機から受信した（Ｓ２０１）音声から透かしデータに含まれるコンテンツＩＤを検出する（Ｓ２０３）。端末は、リンクテーブルを参照し、取得したコンテンツＩＤと端末に登録されたパラメータにより、固定キーワードを求める（Ｓ２０５，Ｓ２０７）。端末は、予め記憶されたＵＲＬの電子掲示板システムにアクセスし、投稿画面を表示し、固定キーワードを付す（Ｓ２０９）。端末は、ユーザにより投稿画面に記入された投稿データを電子掲示板システムに投稿する（Ｓ２１１）。【選択図】  図１５
2014219820.tif 000002
【特許請求の範囲】
【請求項１】
コンテンツ識別情報及びひとつ又は複数の第１のパラメータに対する、固定キーワードを含むリンクデータを記憶するリンクテーブルと、
予め設定又は登録されたひとつ又は複数の第２のパラメータを記憶するパラメータテーブルと、
電子掲示板の投稿画面を表示するための表示入力部と、
処理部と、
を備え、
前記処理部は、
コンテンツ識別情報を含む透かしデータが埋め込まれた放送信号又は録音信号を再生した音声を入力し、前記透かしデータを検出し、
前記リンクテーブルに記憶されたコンテンツ識別情報、及び、ひとつ又は複数の第１のパラメータと、透かしデータから検出したコンテンツ識別情報、及び、前記パラメータテーブルに記憶されたひとつ又は複数の第２のパラメータとをそれぞれ比較して、前記リンクテーブルから固定キーワードを求め、
自動で又はユーザの許可若しくは指示により、予め記憶されたウェブサイト接続情報で指定された電子掲示板のウェブサイトに接続し、前記ウェブサイトから、投稿者及び投稿内容を含む投稿画面を取得して、前記投稿画面を前記表示入力部に表示し、
前記表示入力部に入力された情報及び前記固定キーワードを含む投稿データを、前記ウェブサイトの電子掲示板に送信する
ことを特徴とする情報通信装置。
【請求項２】
請求項１に記載された情報通信装置において、
コンテンツ識別情報に対するウェブサイト接続情報を含むウェブサイト接続データを記憶するウェブサイト接続テーブル
をさらに備え、
前記処理部は、前記ウェブサイト接続テーブルを参照して、前記透かしデータから検出された前記コンテンツ識別情報に基づき前記ウェブサイト接続情報を求めることを特徴とする情報通信装置。
【請求項３】
請求項２に記載された情報通信装置において、
前記処理部は、
前記端末からの要求により、又は、予め設定されたタイミング又は期間又は時刻で、前記ウェブサイト接続データを記憶したリンクサーバから、前記ウェブサイト接続データを受信し、
前記リンクサーバから受信した前記ウェブサイト接続データを、前記ウェブサイト接続テーブルに記憶する
ことを特徴とする情報通信装置。
【請求項４】
請求項１乃至３のいずれかに記載された情報通信装置において、
前記処理部は、
前記端末からの要求により、又は、予め設定されたタイミング又は期間又は時刻で、前記リンクデータを記憶したリンクサーバから、リンクデータを受信し、
前記リンクサーバから受信した前記リンクデータを、前記リンクテーブルに記憶する
ことを特徴とする情報通信装置。
【請求項５】
請求項１乃至４のいずれかに記載された情報通信装置において、
前記処理部は、前記投稿画面にさらに前記固定キーワードを表示することを特徴とする情報通信装置。
【請求項６】
請求項１乃至５のいずれかに記載された情報通信装置において、
前記固定キーワードは、
番組又はＣＭを特定できる識別情報、及び／又は、
電子掲示板に投稿する際の、ハッシュタグ又はその他のユニークな識別情報、及び／又は
ユーザが編集又は変更できないようにガードをかけられている情報
であることを特徴とする情報通信装置。
【請求項７】
請求項１乃至６のいずれかに記載された情報通信装置において、
前記第１のパラメータ及び／又は前記第２のパラメータは、ユーザの学校情報若しくは仕事情報、ユーザのプロフィール、ユーザの登録情報、予め定められた設定情報のいずれかひとつ又は複数を含むことを特徴とする情報通信装置。
【請求項８】
請求項１乃至７のいずれかに記載された情報通信装置において、
前記第１のパラメータ及び／又は前記第２のパラメータは、ＧＰＳ又は他の位置測定部により検出した自装置の位置情報、又は、予め設定された自装置の位置情報を含むことを特徴とする情報通信装置。
【請求項９】
請求項１乃至８のいずれかに記載された情報通信装置において、
前記処理部は、前記投稿データに、
コンテンツ識別情報、
ひとつ又は複数のパラメータ、
投稿時刻、
透かしデータから検出された放送時刻若しくは埋込時刻
のいずれかひとつ又は複数を含めて送信することを特徴とする情報通信装置。
【請求項１０】
請求項１乃至９のいずれかに記載された情報通信装置において、
前記処理部は、前記放送信号又は前記録音信号を、受像機、受信機、録画再生機、又は、再生機から受信することを特徴とする情報通信装置。
【請求項１１】
情報通信システムであって、
コンテンツ識別情報及びひとつ又は複数のパラメータに対する固定キーワードを含むリンクデータを予め記憶したリンクサーバ蓄積部を有するリンクサーバと、
電子掲示板のウェブサイトを提供するための掲示板システムと、
端末と、
を備え、
前記リンクサーバは、
前記端末からの要求により、又は、予め設定されたタイミング又は期間又は時刻で、前記端末に、前記リンクサーバ蓄積部に記憶されたリンクデータを送信し、
前記端末の前記処理部は、前記リンクサーバから受信した前記リンクデータを、前記リンクテーブルに記憶し、
前記端末は、
コンテンツ識別情報及びひとつ又は複数の第１のパラメータに対する、固定キーワードを含むリンクデータを記憶するリンクテーブルと、
予め設定又は登録されたひとつ又は複数の第２のパラメータを記憶するパラメータテーブルと、
電子掲示板の投稿画面を表示するための表示入力部と、
処理部と、
を備え、
前記処理部は、
コンテンツ識別情報を含む透かしデータが埋め込まれた放送信号又は録音信号を再生した音声を入力し、前記透かしデータを検出し、
前記リンクテーブルに記憶されたコンテンツ識別情報、及び、ひとつ又は複数の第１のパラメータと、透かしデータから検出したコンテンツ識別情報、及び、前記パラメータテーブルに記憶されたひとつ又は複数の第２のパラメータとをそれぞれ比較して、前記リンクテーブルから固定キーワードを求め、
自動で又はユーザの許可若しくは指示により、予め記憶されたウェブサイト接続情報で指定された電子掲示板のウェブサイトに接続し、前記ウェブサイトから、投稿者及び投稿内容を含む投稿画面を取得して、前記投稿画面を前記表示入力部に表示し、
前記表示入力部に入力された情報及び前記固定キーワードを含む投稿データを、前記ウェブサイトの電子掲示板に送信する
ことを特徴とする情報通信システム。
【請求項１２】
請求項１１に記載された情報通信システムにおいて、
前記掲示板システムは、投稿時刻又は放送時刻若しくは埋込時刻又は送信時刻又は受信時刻と、前記投稿データとを含むログを記憶する投稿情報テーブルをさらに備え、
前記掲示板システムは、受信した前記投稿データに基づき、投稿時刻又は放送時刻若しくは埋込時刻又は送信時刻又は受信時刻と、前記投稿データとを含むログを前記投稿情報テーブルに記憶し、予め設定されたタイミング又は期間又は時刻で前記投稿情報テーブルから前記ログを読み出し、前記掲示板システムの表示部に表示させること又は前記掲示板システムの出力部に出力させることを特徴とする情報通信システム。
【請求項１３】
請求項１１又は１２に記載された情報通信システムにおいて、
前記端末の前記処理部は、前記投稿データに、
コンテンツ識別情報、
ひとつ又は複数のパラメータ、
投稿時刻、
透かしデータから検出された放送時刻若しくは埋込時刻
のいずれかひとつ又は複数を含めて送信し、
前記掲示板システムは、前記端末から受信した前記投稿データから、
コンテンツ識別情報、
ひとつ又は複数のパラメータ、
投稿時刻、
透かしデータから検出された放送時刻若しくは埋込時刻
のいずれかひとつ又は複数を前記ログに含める
ことを特徴とする情報通信システム。
【請求項１４】
請求項１１乃至１３のいずれかに記載された情報通信システムにおいて、
放送信号に、放送時刻とコンテンツ識別情報を含む透かしデータを埋め込み、該放送信号を放送する放送局と、
前記放送局からの放送信号を受信して、音声を再生する受信機と、
をさらに備えた情報通信システム。
【請求項１５】
請求項１１乃至１３のいずれかに記載された情報通信システムにおいて、
録音信号に、埋込時刻とコンテンツ識別情報を含む透かしデータを埋め込み、該録音信号を再生する再生機と、
前記再生機からの録音信号を受信して、音声を再生する受信機と、
をさらに備えた情報通信システム。
【請求項１６】
情報通信装置における情報通信方法であって、
前記情報通信装置は、
コンテンツ識別情報及びひとつ又は複数の第１のパラメータに対する、固定キーワードを含むリンクデータを記憶するリンクテーブルと、
予め設定又は登録されたひとつ又は複数の第２のパラメータを記憶するパラメータテーブルと、
電子掲示板の投稿画面を表示するための表示入力部と、
処理部と、
を備え、
前記処理部は、
コンテンツ識別情報を含む透かしデータが埋め込まれた放送信号又は録音信号を再生した音声を入力し、前記透かしデータを検出し、
前記リンクテーブルに記憶されたコンテンツ識別情報、及び、ひとつ又は複数の第１のパラメータと、透かしデータから検出したコンテンツ識別情報、及び、前記パラメータテーブルに記憶されたひとつ又は複数の第２のパラメータとをそれぞれ比較して、前記リンクテーブルから固定キーワードを求め、
自動で又はユーザの許可若しくは指示により、予め記憶されたウェブサイト接続情報で指定された電子掲示板のウェブサイトに接続し、前記ウェブサイトから、投稿者及び投稿内容を含む投稿画面を取得して、前記投稿画面を前記表示入力部に表示し、
前記表示入力部に入力された情報及び前記固定キーワードを含む投稿データを、前記ウェブサイトの電子掲示板に送信する
ことを特徴とする情報通信方法。
【請求項１７】
情報通信装置における情報通信プログラムであって、
前記情報通信装置は、
コンテンツ識別情報及びひとつ又は複数の第１のパラメータに対する、固定キーワードを含むリンクデータを記憶するリンクテーブルと、
予め設定又は登録されたひとつ又は複数の第２のパラメータを記憶するパラメータテーブルと、
電子掲示板の投稿画面を表示するための表示入力部と、
処理部と、
を備え、
前記処理部が、コンテンツ識別情報を含む透かしデータが埋め込まれた放送信号又は録音信号を再生した音声を入力し、前記透かしデータを検出する手順と、
前記処理部が、前記リンクテーブルに記憶されたコンテンツ識別情報、及び、ひとつ又は複数の第１のパラメータと、透かしデータから検出したコンテンツ識別情報、及び、前記パラメータテーブルに記憶されたひとつ又は複数の第２のパラメータとをそれぞれ比較して、前記リンクテーブルから固定キーワードを求める手順と、
前記処理部が、自動で又はユーザの許可若しくは指示により、予め記憶されたウェブサイト接続情報で指定された電子掲示板のウェブサイトに接続し、前記ウェブサイトから、投稿者及び投稿内容を含む投稿画面を取得して、前記投稿画面を前記表示入力部に表示する手順と、
前記処理部が、前記表示入力部に入力された情報及び前記固定キーワードを含む投稿データを、前記ウェブサイトの電子掲示板に送信する手順と
をコンピュータに実行させるための情報通信プログラム。
【発明の詳細な説明】
【技術分野】
【０００１】
本発明は、情報通信装置及びシステム及び方法及びプログラムに係り、特に、透かしを利用して、端末によるメディア接触と電子掲示板システムとを、関連付けることができる情報通信装置及びシステム及び方法及びプログラムに関する。
【背景技術】
【０００２】
近年、地上デジタル放送に加え、ＢＳデジタル放送やＣＳ専門チャンネル放送などの普及、さらに新たな放送サービスの出現など、今後ますます放送サービスの多様化が進むものと思われる。
また、電子掲示板を利用して、ユーザがコメントやメッセージを投稿するシステムがある。
特許文献１には、「ツイッター管理サーバＢにメッセージをキーワード検索させ、検索されたメッセージ（検索メッセージ）をツイッター管理サーバＢから取得し、検索メッセージを所定の絵柄とともに所定の第１の時間を掛けて時系列順に表示するメッセージ表示装置Ａ」（要約）を備えたメッセージ表示システムが記載されている。
【先行技術文献】
【特許文献】
【０００３】
【特許文献１】特開２０１２−１６０１１１号公報
【発明の概要】
【発明が解決しようとする課題】
【０００４】
昨今の放送サービスの多様化が進められる環境下で、透かし技術を利用したセカンドスクリーン等の情報の表示、情報への誘導等を行うシステムの構築が期待されつつある。特に、スマートフォン、タブレット、ＰＣ等の端末を使った、セカンドスクリーン連携が要望されている。たとえば、テレビと同期させてスマートフォン、タブレット等のセカンドスクリーンに同期コンテンツを表示させ、ユーザは、その内容や感想等を自らが、電子掲示板システムに記入し、コミュニケーションを図ることが想定される。
一方、調査実施者は、電子掲示板をクローリングすることがある。調査実施者は、テレビなどのメディアと電子掲示板との利用の関係を探りたいという要望がある。調査実施者は、番組やＣＭについての反応の、量的または質的調査を行うため、電子掲示板の情報を収集し解析するが、あいまいなものを抽出する場合が想定される。
たとえば、ある番組について、投稿した視聴者がいたとする。番組の固定キーワードを用いず、出演した俳優の名前を記載し、コメントを発した場合、調査実施者は、俳優が出演する番組について言及されたものか、明確に判断することが難しいことが想定される。そのため、テレビ等のメディア接触と掲示板システム（電子掲示板）との利用の関係が正しく測定できない場合がある。
また、従来は、投稿のための固定キーワードについて、ユーザ毎に登録された端末内のなんらかのパラメータ等の情報に合わせてバリエーションを持たせることができなかった。さらに、固定キーワードを求める際、例えば、放送音声を受信したタイミングで、サーバに固定キーワード等の各種情報を取得するために問い合わせを行うと、多数端末からの同時アクセスが想定され、サーバへの一斉負荷の増大が課題となる。
【０００５】
本発明は、以上の点に鑑み、放送音声又は再生音声に含まれる透かし情報を用いて、電子掲示板に投稿する際にユニークなキーワードを自動的に付与することをひとつの目的とする。
また、本発明は、サーバに負荷をかけずに、スマートフォン、タブレット、ＰＣ等の端末によるメディア接触と掲示板システムの利用とを、ユーザ毎に登録された情報に合わせて関連付けることを他の目的とする。
【課題を解決するための手段】
【０００６】
本発明の第１の解決手段によると、
コンテンツ識別情報及びひとつ又は複数の第１のパラメータに対する、固定キーワードを含むリンクデータを記憶するリンクテーブルと、
予め設定又は登録されたひとつ又は複数の第２のパラメータを記憶するパラメータテーブルと、
電子掲示板の投稿画面を表示するための表示入力部と、
処理部と、
を備え、
前記処理部は、
コンテンツ識別情報を含む透かしデータが埋め込まれた放送信号又は録音信号を再生した音声を入力し、前記透かしデータを検出し、
前記リンクテーブルに記憶されたコンテンツ識別情報、及び、ひとつ又は複数の第１のパラメータと、透かしデータから検出したコンテンツ識別情報、及び、前記パラメータテーブルに記憶されたひとつ又は複数の第２のパラメータとをそれぞれ比較して、前記リンクテーブルから固定キーワードを求め、
自動で又はユーザの許可若しくは指示により、予め記憶されたウェブサイト接続情報で指定された電子掲示板のウェブサイトに接続し、前記ウェブサイトから、投稿者及び投稿内容を含む投稿画面を取得して、前記投稿画面を前記表示入力部に表示し、
前記表示入力部に入力された情報及び前記固定キーワードを含む投稿データを、前記ウェブサイトの電子掲示板に送信する
ことを特徴とする情報通信装置
が提供される。
【０００７】
本発明の第２の解決手段によると、
情報通信システムであって、
コンテンツ識別情報及びひとつ又は複数のパラメータに対する固定キーワードを含むリンクデータを予め記憶したリンクサーバ蓄積部を有するリンクサーバと、
電子掲示板のウェブサイトを提供するための掲示板システムと、
端末と、
を備え、
前記リンクサーバは、
前記端末からの要求により、又は、予め設定されたタイミング又は期間又は時刻で、前記端末に、前記リンクサーバ蓄積部に記憶されたリンクデータを送信し、
前記端末の前記処理部は、前記リンクサーバから受信した前記リンクデータを、前記リンクテーブルに記憶し、
前記端末は、
コンテンツ識別情報及びひとつ又は複数の第１のパラメータに対する、固定キーワードを含むリンクデータを記憶するリンクテーブルと、
予め設定又は登録されたひとつ又は複数の第２のパラメータを記憶するパラメータテーブルと、
電子掲示板の投稿画面を表示するための表示入力部と、
処理部と、
を備え、
前記処理部は、
コンテンツ識別情報を含む透かしデータが埋め込まれた放送信号又は録音信号を再生した音声を入力し、前記透かしデータを検出し、
前記リンクテーブルに記憶されたコンテンツ識別情報、及び、ひとつ又は複数の第１のパラメータと、透かしデータから検出したコンテンツ識別情報、及び、前記パラメータテーブルに記憶されたひとつ又は複数の第２のパラメータとをそれぞれ比較して、前記リンクテーブルから固定キーワードを求め、
自動で又はユーザの許可若しくは指示により、予め記憶されたウェブサイト接続情報で指定された電子掲示板のウェブサイトに接続し、前記ウェブサイトから、投稿者及び投稿内容を含む投稿画面を取得して、前記投稿画面を前記表示入力部に表示し、
前記表示入力部に入力された情報及び前記固定キーワードを含む投稿データを、前記ウェブサイトの電子掲示板に送信する
ことを特徴とする情報通信システム
が提供される。
【０００８】
本発明の第３の解決手段によると、
情報通信装置における情報通信方法であって、
前記情報通信装置は、
コンテンツ識別情報及びひとつ又は複数の第１のパラメータに対する、固定キーワードを含むリンクデータを記憶するリンクテーブルと、
予め設定又は登録されたひとつ又は複数の第２のパラメータを記憶するパラメータテーブルと、
電子掲示板の投稿画面を表示するための表示入力部と、
処理部と、
を備え、
前記処理部は、
コンテンツ識別情報を含む透かしデータが埋め込まれた放送信号又は録音信号を再生した音声を入力し、前記透かしデータを検出し、
前記リンクテーブルに記憶されたコンテンツ識別情報、及び、ひとつ又は複数の第１のパラメータと、透かしデータから検出したコンテンツ識別情報、及び、前記パラメータテーブルに記憶されたひとつ又は複数の第２のパラメータとをそれぞれ比較して、前記リンクテーブルから固定キーワードを求め、
自動で又はユーザの許可若しくは指示により、予め記憶されたウェブサイト接続情報で指定された電子掲示板のウェブサイトに接続し、前記ウェブサイトから、投稿者及び投稿内容を含む投稿画面を取得して、前記投稿画面を前記表示入力部に表示し、
前記表示入力部に入力された情報及び前記固定キーワードを含む投稿データを、前記ウェブサイトの電子掲示板に送信する
ことを特徴とする情報通信方法
が提供される。
【０００９】
本発明の第４の解決手段によると、
情報通信装置における情報通信プログラムであって、
前記情報通信装置は、
コンテンツ識別情報及びひとつ又は複数の第１のパラメータに対する、固定キーワードを含むリンクデータを記憶するリンクテーブルと、
予め設定又は登録されたひとつ又は複数の第２のパラメータを記憶するパラメータテーブルと、
電子掲示板の投稿画面を表示するための表示入力部と、
処理部と、
を備え、
前記処理部が、コンテンツ識別情報を含む透かしデータが埋め込まれた放送信号又は録音信号を再生した音声を入力し、前記透かしデータを検出する手順と、
前記処理部が、前記リンクテーブルに記憶されたコンテンツ識別情報、及び、ひとつ又は複数の第１のパラメータと、透かしデータから検出したコンテンツ識別情報、及び、前記パラメータテーブルに記憶されたひとつ又は複数の第２のパラメータとをそれぞれ比較して、前記リンクテーブルから固定キーワードを求める手順と、
前記処理部が、自動で又はユーザの許可若しくは指示により、予め記憶されたウェブサイト接続情報で指定された電子掲示板のウェブサイトに接続し、前記ウェブサイトから、投稿者及び投稿内容を含む投稿画面を取得して、前記投稿画面を前記表示入力部に表示する手順と、
前記処理部が、前記表示入力部に入力された情報及び前記固定キーワードを含む投稿データを、前記ウェブサイトの電子掲示板に送信する手順と
をコンピュータに実行させるための情報通信プログラム
が提供される。
【発明の効果】
【００１０】
本発明によると、放送音声又は再生音声に含まれる透かし情報を用いて、電子掲示板に投稿する際にユニークなキーワードを自動的に付与することができる。
また、本発明によると、サーバに負荷をかけずに、スマートフォン、タブレット、ＰＣ等の端末によるメディア接触と掲示板システムの利用とを、ユーザ毎に登録された情報に合わせて関連付けることができる。
【図面の簡単な説明】
【００１１】
【図１】情報通信システムの構成図である。
【図２】放送局１の構成図である。
【図３】受像機／録画再生機２の構成図である。
【図４】端末３の構成図である。
【図５】リンクサーバ４の構成図である。
【図６】掲示板システム５の構成図である。
【図７】透かしデータテーブルについての説明図である。
【図８】リンクテーブルについての説明図である。
【図９】ウェブサイト接続テーブルについての説明図である。
【図１０】パラメータテーブルについての説明図である。
【図１１】投稿情報テーブルについての説明図である。
【図１２】透かしデータのペイロードのフォーマットである。
【図１３】リンクテーブルの他の例についての説明図である。
【図１４】リンクテーブル及びウェブサイト接続テーブル取得シーケンスである。
【図１５】投稿処理フローチャートである。
【図１６】投稿画面イメージの説明図である。
【図１７】透かしデータテーブルについての説明図である。
【図１８】再生機２ａの構成図である。
【発明を実施するための形態】
【００１２】
Ａ．第１の実施の形態
１．システム・装置
図１は、情報通信システムの構成図である。
情報通信システムは、放送局１、受像機／録画再生機２、端末３、リンクサーバ４、掲示板システム（電子掲示板システム）５を備える。放送局１は、受像機／録画再生機２に対し、放送波等を送信する。受像機／録画再生機２は、例えば、放送局１から放送波等を受信し、放送コンテンツを再生する。端末３は、例えば、受信機／録画再生機２が再生した放送音声を受信し、各種情報を表示、各種情報へ誘導、又は、各種処理を実行する。リンクサーバ４は、後述するようなリンクデータ等を端末３へ送信する。掲示板システム５は、ツイッターやＦａｃｅｂｏｏｋ等の電子掲示板や、各放送局やコンテンツを提供・配信するシステムによる電子掲示板等を提供するシステムである。掲示板システム５を利用して、ユーザが端末３により、記事の書き込み、情報の閲覧、コメントの付加や投稿、情報提供、会話、ディスカッション等を行うことができる。掲示板システム５は、例えば、ユーザが意見を交わして、他のユーザと交流を図るもので、インターネット上で、投稿者が発言（例えば、コメントをアップロード）をして、コミュニケーションを楽しむことができる電子的な掲示板である。ユーザは、匿名で投稿しても非匿名で投稿してもよい。投稿の形態としては、つぶやきや、ブログなども含んでもよい。また、掲示板システム５は、投稿された情報の検索、収集、集計等を行う。調査実施者１３は、掲示板システム５を用いて、掲示板システム５に投稿された情報の調査を行う。
【００１３】
図２は、放送局１の構成図である。
放送局１は、例えば、不特定多数の受け手を対象に素材・コンテンツをテレビ、パソコン、ラジオ、携帯機器等に放送・配信・報道するような装置・システム・機関・組織・主体などを指す。また、テレビ、パソコン、ラジオ、携帯機器等の様々なコンテンツ・素材を放送・配信する放送局にも適用することができる。「放送」とは、テレビ放送、ラジオ放送、地上波・衛星放送、ケーブル放送、屋外放送、屋外広告、館内放送、店内放送等の様々な放送を含むことができる。放送局１は、透かし重畳部１１を備える。透かし重畳部１１は、放送信号・放送波に、後述するように、透かしデータを重畳する。
【００１４】
図３は、受像機／録画再生機２の構成図である。
受像機／録画再生機２は、放送コンテンツを受信及び再生する受像機（受信機）、又は、放送コンテンツを録画及び再生する録画再生機である。なお、受像機／録画再生機２は、ＤＶＤ、ブルーレイ等を再生する再生機としてもよい。受像機／録画再生機２は、受像機（受信機）と再生機の両機能を備えた装置でもよいし、さらに録画機能を備えてもよい。受像機／録画再生機２は、音声再生部２１を備える。受像機／録画再生機２は、例えば、テレビ、パソコン、屋内又は屋外放送システム、ワンセグ端末、スマートフォン、セットトップボックス、電話機、案内システム、玩具、遊具等のように、スピーカーを持ち、音を発する装置を用いることができる。
【００１５】
図４は、端末３の構成図である。
端末３は、処理部（ＣＰＵ）３１、時計部３２、検出部３３、蓄積部３４、通信部３５、表示部３６、入力部３７、位置測定部３８を備える。蓄積部３４は、透かしデータテーブル６、リンクテーブル７、パラメータテーブル１０、ウェブサイト接続テーブル１４を含む。端末３は、例えば、モバイル端末（携帯端末）、スマートフォン、パソコン、タブレット等の各種端末を用いることができる。
【００１６】
図５は、リンクサーバ４の構成図である。
リンクサーバ４は、通信部４１、処理部４２、リンクサーバ蓄積部４３を備える。リンクサーバ蓄積部４３は、リンクテーブル８、ウェブサイト接続テーブル１５を含む。リンクテーブル８のフォーマットはリンクテーブル７と同様である。また、ウェブサイト接続テーブル１５のフォーマットはウェブサイト接続テーブル１４と同様である。
図６は、掲示板システム５の構成図である。
掲示板システム５は、処理部５１、通信部５２、表示部５３、出力部５４、投稿情報テーブル１６を備える。
【００１７】
図７は、蓄積部３４内の透かしデータテーブル６についての説明図である。
透かしデータテーブル６は、放送コンテンツの識別情報であるコンテンツＩＤ６１、放送コンテンツの放送時刻６２、放送コンテンツを端末３が受信（検出）した時刻である検出時刻６３を対応して記憶する。
【００１８】
図８は、蓄積部３４内のリンクテーブル７、及び、リンクサーバ蓄積部４３内のリンクテーブル８の説明図である。
リンクテーブル７、８は、コンテンツＩＤ７１、８１及びパラメータ７４、８４に対して固定キーワード７２、８２を含むリンクデータを記憶する。パラメータ７４、８４は、性別・年齢・年代・住所等の個人情報、端末又は受像機等の位置するエリア・場所・緯度経度・都道府県・市区町村・郵便番号等の位置情報、好きなチーム（グループ）・趣味・嗜好・アクセスデータ等のプロフィール、学年・学校・学校住所等の学校情報、職業・勤め先・役職・職場住所等の仕事情報のひとつ又は複数の適宜の情報を含むことができる。固定キーワード７２、８２は、例えば、ハッシュタグ等のユニークなキーワードを用いることができる。また、固定キーワード７２、８２は、放送コンテンツ又は再生コンテンツの出演者・キャラクター・スポンサー・番組・ＣＭ等に関するキーワードとしてもよい。この例では、パラメータ７４、８４にはｎ個設定され、性別、年代、好きなチーム（グループ）、エリアを含む情報が登録されている。なお、「＊」はデータを問わず、どのデータでも該当することを示す。
図１３は、リンクテーブル７’、８’の他の例についての説明図である。
リンクテーブル７’、８’の各データは、リンクテーブル７、８と同様であるが、パラメータ７４’、８４’の個数が異なる。例えば、後述の投稿処理フローで固定キーワードを求めるために必要なパラメータに限定して記憶されている（即ち、リンクテーブル７、８中、「＊」以外のパラメータ）。この例では、性別及び好きなチームを記憶する。
図９は、蓄積部３４内のウェブサイト接続テーブル１４、及び、リンクサーバ蓄積部４３内のウェブサイト接続テーブル１５についての説明図である。
ウェブサイト接続テーブル１４、１５は、コンテンツＩＤ１４１、１５１に対してＵＲＬ（ウェブサイト接続情報）１４２、１５２を記憶する。なお、ＵＲＬ以外にも適宜のウェブサイト接続情報を用いることができる。
図１０は、パラメータテーブル１０についての説明図である。
パラメータテーブル１０は、性別・年齢・年代・住所等の個人情報、端末又は受像機等の位置するエリア・場所・緯度経度・都道府県・市区町村・郵便場号等の位置情報、好きなチーム（グループ）・趣味・嗜好・アクセスデータ等のプロフィール、学年・学校・学校住所等の学校情報、職業・勤め先・役職・職場住所等の仕事情報のひとつ又は複数の情報を対応して記憶する。位置情報は、処理部３１が位置測定部３８により、ＧＰＳ等の機能で位置情報を取得し、自動でセットしてもよいし、ユーザが入力部３７により情報を設定してもよい。この例では、パラメータテーブル１０はｍ個設定され、性別、年代、好きなチーム、エリアを含む情報が登録されている。なお、パラメータテーブル１０のｍの値はリンクテーブル７、８のｎの値と同じ値でもよいし、異なる値でもよい。
図１１は、投稿情報テーブル１６についての説明図である。
投稿情報テーブル１６は、投稿に関する時刻毎に、固定キーワードに対して、投稿者、タイトル、入力フィールドを含む情報を記憶する。投稿に関する時刻は、端末による投稿時刻、投稿を受信又は送信した時刻、及び／又は、透かしデータの検出時刻・埋込時刻等のいずれかひとつ又は複数を含むことができる。なお、投稿情報テーブル１６には、投稿した端末の識別情報、パラメータの一部又は全部、コンテンツＩＤのいずれかひとつ又は複数を含んでもよい。
【００１９】
図１２は、透かし入り放送音声に含まれる透かしデータのペイロード（透かしペイロード）９のフォーマットである。
透かしペイロード９は、放送コンテンツの識別情報（コンテンツＩＤ等のコンテンツ識別情報）９１と、そのコンテンツの放送時刻９２とを含む。コンテンツＩＤ９１及び放送時刻９２は、透かしデータテーブル６のコンテンツＩＤ６１及び放送時刻６２にそれぞれ対応する。
【００２０】
２．動作
図１４は、リンクテーブル取得シーケンスである。
まず、リンクサーバ４の、リンクテーブル８に、コンテンツＩＤ８１及びパラメータ８４に対して固定キーワード８２を予め設定する。また、ウェブサイト接続テーブル１５についても、コンテンツＩＤ１５１に対して、ＵＲＬ１５２を予め設定する（Ｓ１０１）。リンクテーブル８及びウェブサイト接続テーブル１５は、保守者等により設定してもよいし、デフォルト等により予め設定されていてもよい。
ユーザによる操作により、又は、予め定められたタイミング・期間等で自動により、端末３において、アプリケーションが起動されると（Ｓ１０２）、処理部３１は、リンクサーバ４に対しリンクテーブル８及びウェブサイト接続テーブル１５の情報取得要求を送信する（Ｓ１０３）。リンクサーバ４は、端末３からリンクテーブル８及びウェブサイト接続テーブル１５の情報取得要求を受信すると（Ｓ１０４）、処理部４２は、リンクサーバ蓄積部４３にあるリンクテーブル８及びウェブサイト接続テーブル１５の情報を含む応答を作成し、それを端末３に対し送信する（Ｓ１０５）。端末３は、リンクサーバ４からリンクテーブル８及びウェブサイト接続テーブル１５の情報を含む応答を受信すると、処理部３１は、その情報を蓄積部３４内のリンクテーブル７及びウェブサイト接続テーブル１４にそれぞれ保存する（Ｓ１０７）。こうして、リンクテーブル７及びウェブサイト接続テーブル１４は、予め端末３内に保存される。なお、リンクサーバ４は、端末３からの要求無しで、予め定められたタイミング又は期間又は時刻等で自動にリンクテーブル８及び／又はウェブサイト接続テーブル１５の情報を端末３に送信してもよい。
なお、リンクテーブル８とウェブサイト接続テーブル１５の取得は、上述のようにひとつのフローで実行してもよいし、別々のフローで個別に実行してもよい。
また、ウェブサイト接続テーブル１５の情報は、コンテンツＩＤにかかわらず予め定められた固定ＵＲＬとすることもできる。この場合、端末３は、ステップＳ１０７で、リンクサーバ４からウェブサイト接続テーブル１５の情報を受信し、その情報を適宜のメモリ又はウェブサイト接続テーブル１４に保存してもよい。また、固定ＵＲＬは、図１４のシーケンスによらず、手動又はデフォルトにより予め端末３に登録しておいてもよい。
【００２１】
図１５は、端末３による投稿処理フローチャートである。
端末３において処理が開始され、ユーザがコンテンツを視聴すると、処理部３１は、検出部３３により、受像機／録画再生機２から透かし入り放送音声を受信する（Ｓ２０１）。処理部３１は、受信した放送音声から透かしデータを検出し、透かしペイロード９に含まれるコンテンツＩＤ９１及び放送時刻９２を、蓄積部３４内の透かしデータテーブル６のコンテンツＩＤ６１及び放送時刻６２にそれぞれに記憶する。また、処理部３１は、透かし入り放送音声の検出時刻（又は、収音時刻）を時計部３２により求め、その求めた時刻を透かしデータテーブル６の検出時刻６３に記憶する（Ｓ２０３）。処理部３１は、ステップＳ２０１及びＳ２０３の処理を、一定時間毎又は予め定められた所定タイミング・期間・時刻や透かしペイロード９を検出したとき等、適宜のタイミングで繰り返し実行することができる。
ユーザは、予めパラメータテーブル１０に、情報を登録している。なお、全ての値が登録されなくてもよく、また、一部又は全ての情報がプリセット（デフォルト）で設定されていてもよい。処理部３１は、パラメータテーブル１０を参照し、各パラメータの情報を取得する（Ｓ２０５）。例えば、図１０で示したように、「（１）性別」に「男性」、「（２）年代」に「２０代」、「（３）好きなチーム（グループ）」にひいきの球団「Ａチーム」、「（４）エリア」に「東京」が登録されている。
【００２２】
つぎに、処理部３１は、ステップＳ２０３で検出したコンテンツＩＤと、ステップＳ２０５で取得したパラメータとに基づき、リンクテーブル７を参照し、コンテンツＩＤ及びパラメータにより固定キーワードを求める。（Ｓ２０７）。例えば、図８に示したようなリンクテーブル７が記憶されている場合、処理部３１は、リンクテーブル７を参照し、「野球中継番組１」、「（１）男性」及び「（３）Ａチーム」により、固定キーワード「Ａチームがんばれ！」を求めることができる。なお、「＊」は、データを問わないこと、どのデータでも該当することを表す。処理部３１は、図１３に示したようなリンクテーブル７’が記憶されている場合も、図８のリンクテーブル７の例と同様に固定キーワードを求めることができる。
つぎに、処理部３１は、自動で又はユーザの指示（若しくは許可）により、ウェブサイト接続テーブル１４を参照し、ＵＲＬ１４２に登録されているＵＲＬにより掲示板システムにアクセスすると、表示部３６に掲示板システムから提供された投稿画面（デフォルト文言を含んでもよい。）を表示する。投稿画面には、ステップＳ２０７で求めた、番組やＣＭ等が特定できる固定キーワードが付される（Ｓ２０９）。
端末３は、上述のように、透かしを検出すると、表示部３６に自動で投稿画面を表示することができる。
【００２３】
図１６は、投稿画面イメージの説明図である。図示のように、投稿画面は、投稿者、タイトル、入力フィールド、固定キーワード、送信操作部を含む。
「投稿者」には、投稿者名が入力される。投稿者名は、適宜の名前に変更が可能である。「タイトル」には、適宜の投稿タイトルが記入される。「入力フィールド」には、感想、コメント、発言等の投稿内容が記入される。「固定キーワード」は、上述のようにユニークなものが設定される。固定キーワードは、ハッシュタグでもよい。なお、固定キーワードは、ユーザによる変更が不可とするようにガードがかけられるとよい。さらに、処理部３１は、固定キーワードを投稿画面に表示してもよいし、表示しなくてもよい。「入力フィールド」に、固定キーワードを投稿者が記入することも可能であるし、処理部３１が、自動で記入することも可能である。掲示板システム５に情報を投稿する際、ユニークな固定キーワードが情報に含まれていると掲示板システム５は、投稿の検索が容易になる。「送信」と表された「送信操作部」は、投稿操作に使用される。「送信」に対する押下、クリック等の操作により、投稿内容が掲示板システム５に投稿される。なお、画面のレイアウトはこれに限らず、他の情報や入力フィールドを含んだ、適宜のものとすることができる。
【００２４】
ユーザにより、端末の投稿画面に投稿内容が記入され、その後、投稿操作が入力されると、処理部３１は、掲示板システム５に投稿者、タイトル、発言内容、固定キーワードを含む投稿データを送信する（Ｓ２１１）。例えば、投稿者「投稿者Ａ」、発言内容「Ｃ選手、ナイスプレー。」、固定キーワード（ハッシュタグ等）「Ａチームがんばれ！」等を含む情報を投稿することができる。また、処理部３１は、時計部３２により時刻を求め、投稿データは、投稿時刻（日時）「例、２０１３／０２／１０  ２０：００：００」として含めることができる。さらに、処理部３１は、透かしデータから求めた放送時刻又は埋込時刻を投稿データに含めてもよい。他にも、投稿データに、コンテンツＩＤ、パラメータの一部又は全部、端末の識別情報等を含めてもよい。このように、ユーザの設定情報（パラメータ）に応じた固定キーワードが添付され、掲示板システム５に情報が投稿される。
掲示板システム５の処理部５１は、端末３から情報を受信すると、その情報を投稿情報テーブル１６に記憶する。
【００２５】
なお、処理部３１は、ステップＳ２０５、Ｓ２０７、Ｓ２０９の順序を、適宜変更してもよい。例えば、処理部３１は、ステップＳ２０９によりＵＲＬの電子掲示板システムにアクセスして投稿画面を表示した後、ステップＳ２０５、Ｓ２０７を実行したり（この場合、処理部３１は、投稿画面を表示後に固定キーワードを設定してもよい。）、また、ステップＳ２０５、Ｓ２０９、Ｓ２０７の順で処理を実行したりすることができる。
調査実施者１３は、掲示板システム５の投稿された情報にアクセスすることができる。上述のように、端末３は、音声認識で、テレビチャンネルやコンテンツを認識し、自動で、ユーザが編集できないキーワードを付すことができる。調査実施者１３が、掲示板システム５により電子掲示板をクローリングする際、自動で付された固定キーワードで検索をかけることにより、テレビと電子掲示板利用との関係を機械的に検索し、収集し、集計に利用することが可能となる。また、その固定キーワードに視聴者が編集できないようにガードをかけることも可能で、それにより、掲示板システム５は、投稿された情報をより確実に集計、検索することが可能となる。先の例では、調査実施者１３は、テレビ野球中継の観戦者が投稿した情報を、各固定キーワード「Ａチームがんばれ！」により、Ａチームを応援している投稿に関する情報の検索・収集・集計等が可能となる。
【００２６】
以上、説明したように、リンクサーバ４の負荷軽減のため、リンクテーブル及び／又はウェブサイト接続テーブルは予め端末３にダウンロードされる。リンクテーブルに従って、固定キーワードは投稿画面に記入される。掲示板システムは、固定キーワードで投稿内容の検索・収集・集計等ができ、所望の投稿についての実数を把握することができる。また、調査の際、固定キーワードを用いることで、調査実施者は、情報のあいまいさの考慮が不要とすることができる。
なお、処理部３１は、投稿等の際に、キーワードと共にコンテンツＩＤを付加してもよい。
この場合、統計調査システムは、コンテンツＩＤにおける、投稿内容の検索、収集、集計ができ、所望の投稿についての実数が把握できる。投稿者が、掲示板システムにおいて、特定のコンテンツＩＤの放送、ＣＭ等のメディアに接触して、投稿したという裏付けを可能とする。
また、処理部３１は、投稿の際、コンテンツＩＤと、パラメータテーブルに登録した、または取得されたパラメータ種別の情報を投稿し、調査実施者が、調査を行えるようにしてもよい。
【００２７】
なお、掲示板システム５は、掲示板システムに情報を送信した場合、ひとつ又は複数のコンテンツＩＤ及び／又はパラメータ及び／又は固定キーワードをログとして、投稿情報テーブル１６に記憶し、予め設定されたタイミング又は期間又は時刻で、予め定められたログ収集サーバ等の他の装置にログを送信し、ログ収集サーバ等の他の装置の記憶部にログを記憶させ、表示部に表示させる又は出力部に出力させるようにしてもよい。
また、掲示板システム５は、コンテンツＩＤ及び／又はパラメータ及び／又は固定キーワードを、表示部３６に表示させる又は適宜の出力部に出力させるようにしてもよい。
なお、放送時刻、検出時刻等の時刻は、日時としてもよい。
【００２８】
Ｂ．他の実施の形態
図１７は、透かしデータテーブルについての説明図である。
透かしデータテーブル６’は、図７に示した透かしデータテーブル６の放送時刻６２の代わりに、透かしデータを埋め込んだ又は予め設定された規則・手順等で埋め込まれた埋込時刻６２’を用いるものである。
このように、第１の実施の形態において、放送時刻９２の代わりに、透かしデータを埋め込んだ時刻（埋込時刻）６２’を用いてもよい。
【００２９】
図１８は、再生機２ａの構成図である。
また、第１の実施の形態では、例えば、放送局１はあらかじめ透かしデータ入りで作成されたコンテンツを放送する。これに対して、透かしデータ入り放送音声の再生が放送局１と受像機／録画再生機２の組み合わせではなく、図１８のような、再生機２ａに透かしデータ入りコンテンツが搬入され、音声再生部２ａ１により、再生コンテンツの録音信号が再生される形態をとってもよい。このとき、透かしデータテーブルは、図７に示したように放送時刻６２を用いてもよいし、その代わりに、図１７に示したように埋込時刻６２’を用いてもよい。
【００３０】
Ｃ．実施の形態の効果
本実施の形態では、特に、スマートフォン、タブレット、ＰＣ等の端末で透かしを検出し、コンテンツＩＤを端末のパラメータとかけあわせて、固定キーワードに変換して、情報を投稿することができる。
また、本実施の形態によると、端末がアプリケーション起動時又は適宜のタイミング・期間・時刻等でリンクテーブルを取得及び蓄積する為、端末が多数であっても、リンクサーバは、各端末に対し、それぞれ異なるタイミング・期間等で、リンクテーブルに含まれるリンクデータを送信することができる。そして、端末は、受信リンクデータを蓄積したリンクテーブルにより、投稿処理フローチャートをリンクサーバと独立に実行することができる。これにより、例えば、放送等のような一斉同報によるタイミングで端末がリンクサーバにアクセスして、リンクサーバが投稿処理を実行する場合と対比し、リンクサーバの負荷を低減又は分散させることができる。
本実施の形態によると、スマートフォン、ＰＣ、タブレット等の端末によるメディア接触と掲示板システムの利用の関係を、ユーザ毎に登録された情報（パラメータ）に合わせて、関連付けることができる。また、本実施の形態によると、メディア接触と掲示板システムの利用の関係を、固定キーワードにより正しく測定することができる。
【産業上の利用可能性】
【００３１】
本発明の情報通信装置及びシステム及び方法及びプログラムは、その各手順をコンピュータに実行させるための情報通信プログラム、情報通信プログラムを記録したコンピュータ読み取り可能な記録媒体、情報通信プログラムを含みコンピュータの内部メモリにロード可能なプログラム製品、そのプログラムを含むサーバ等のコンピュータ等により提供されることができる。
【符号の説明】
【００３２】
１  放送局
２  受像機／録画再生機
３  端末
４  リンクサーバ
５  サーバ
６  透かしデータテーブル
７  リンクテーブル
８  リンクテーブル
９  透かしペイロード
２ａ  再生機
２ａ１  音声再生部
１１  透かし重畳部
２１  音声再生部
３１  処理部（ＣＰＵ）
３２  時計部
３３  検出部
３４  蓄積部
３５  通信部
３６  表示部
３７  入力部
３８  付加情報部
４１  通信部
４２  処理部
４３  リンクサーバ蓄積部
６１  コンテンツＩＤ
６２  放送時刻
６３  検出時刻
７１  コンテンツＩＤ
７２  参照データ
９１  コンテンツＩＤ
９２  放送時刻
【図１】
2014219820.tif 000003
【図２】
2014219820.tif 000004
【図３】
2014219820.tif 000005
【図４】
2014219820.tif 000006
【図５】
2014219820.tif 000007
【図６】
2014219820.tif 000008
【図７】
2014219820.tif 000009
【図８】
2014219820.tif 000010
【図９】
2014219820.tif 000011
【図１０】
2014219820.tif 000012
【図１１】
2014219820.tif 000013
【図１２】
2014219820.tif 000014
【図１３】
2014219820.tif 000015
【図１４】
2014219820.tif 000016
【図１５】
2014219820.tif 000017
【図１６】
2014219820.tif 000018
【図１７】
2014219820.tif 000019
【図１８】
2014219820.tif 000020